(57)【要約】【課題】洗浄ホースの出し入れを抵抗なくスムーズに行うことができ、該洗浄ホースによって排水管の高圧洗浄を作業性良く効率的に行うことができる高圧洗浄用保護部材及びこれを用いた排水管の高圧洗浄方法を提供すること。【解決手段】排水口本体１３に開口する排水口１４及びホース挿入口１５に接続され、封水部１８ｄと、該封水部１８ｄをバイパスして前記ホース挿入口１５を排水管１９に接続するバイパス部１８を備えるＳ字トラップ１８に接続された排水管１９の高圧洗浄に使用される部材であって、前記ホース挿入口１５に着脱可能に装着される高圧洗浄保護部材として、排水管１９の高圧洗浄に際して前記ホース挿入口１５から挿入された洗浄ホース２２をガイドして前記バイパス部１８ｅを経て前記排水管１９に導入するガイド部を備えた保護管３０で構成する。【選択図】図２
2006348683.tif 000002
【特許請求の範囲】
【請求項１】
排水口本体に開口する排水口及びホース挿入口に接続され、封水部と、該封水部をバイパスして前記ホース挿入口を排水管に接続するバイパス部を備えるＳ字トラップに接続された排水管の高圧洗浄に使用される部材であって、
前記ホース挿入口に着脱可能に装着され、前記排水管の高圧洗浄に際して前記ホース挿入口から挿入された洗浄ホースをガイドして前記Ｓ字トラップのバイパス部を経て前記排水管に導入するガイド部を備えることを特徴とする高圧洗浄用保護部材。
【請求項２】
前記Ｓ字トラップのバイパス部の形状に沿って変形可能であって、前記洗浄ホースを内部に挿通してこれをガイドするフレキシブル管で構成されることを特徴とする請求項１記載の高圧洗浄用保護部材。
【請求項３】
前記Ｓ字トラップのバイパス部に沿った形状に成形されたガイド部を有する剛性部材で構成されることを特徴とする請求項１記載の高圧洗浄用保護部材。
【請求項４】
前記ホース挿入口の口径よりも大きな外径を有する鍔を設けたことを特徴とする請求項１〜３の何れかに記載の高圧洗浄用保護部材。
【請求項５】
排水口本体に開口する排水口及びホース挿入口に接続され、封水部と、該封水部をバイパスして前記ホース挿入口を排水管に接続するバイパス部を備えるＳ字トラップに接続された排水管を高圧洗浄する方法であって、前記ホース挿入口から洗浄ホースを前記Ｓ字トラップ内に挿入し、該洗浄ホースを前記バイパス部を経て前記排水管内に導入して該排水管を高圧洗浄する高圧洗浄方法において、
請求項１〜４の何れかに記載の高圧洗浄用保護部材を前記ホース挿入口に装着し、該高圧洗浄用保護部材によって前記洗浄ホースをガイドして前記バイパス部を経て前記排水管に導入するようにしたことを特徴とする排水管の高圧洗浄方法。
【発明の詳細な説明】
【技術分野】
【０００１】
本発明は、洗浄ホースを用いた排水管の高圧洗浄に用いられる高圧洗浄用保護部材及びこれを用いた高圧洗浄方法に関するものである。
【背景技術】
【０００２】
例えば、キッチンのシンクには排水口本体が形成され、この排水口本体に開口する接続口には排水管が接続されるが、接続口と排水管との間には、配管からの臭気の立ち上がりを防ぐためのトラップが接続されている。
【０００３】
ここで、トラップはシンクの下方のキャビネット内に配置されるが、これにはベルトラップ、Ｓ字トラップ等の形式があり、円筒型のベルトラップを採用した場合には、このベルトラップがキャビネット内で大きなスペースを占有するため、キャビネット内の収納スペースが制限されるという問題がある。
【０００４】
そこで、防臭手段として扁平なＳ字トラップを採用し、このＳ字トラップをキャビネットの奥側に配してキャビネット内に大きな収納スペースを確保する構成が採用されている。
【０００５】
ところで、マンション等の集合住宅等においては、例えばＳ字トラップに接続された排水管の高圧洗浄が定期的に行われるが、従来、この高圧洗浄は、キャビネットを開けてキャビネット内のＳ字トラップと排水管を取り外した後、排水管に洗浄ホースを差し込んで行う必要があったため、その作業が大変で能率が悪いという問題があった。
【０００６】
そこで、トラップや排水管を取り外すことなく、排水管の高圧洗浄を行うことができる洗浄方法が提案されている（例えば、特許文献１参照）。
【０００７】
ここで、排水管の従来の高圧洗浄方法の一例を図８に基づいて説明する。
【０００８】
図８は従来の高圧洗浄方法を示すＳ字トラップ部分の側断面図であり、同図において、１１３は例えば不図示のシステムキッチンのシンクに形成された凹状の排水口本体であり、この排水口本体１１３には、円形の排水口１１４とホース挿入口１１５が開口している。そして、これらの排水口１１４とホース挿入口１１５には、アダプタ１１６，１１７を介してＳ字トラップ１１８が接続されている。
【０００９】
ここで、上記Ｓ字トラップ１１８は、正面視横Ｓ字状を成し、上方に向かって開口する２つの開口部１１８ａ，１１８ｂは、前記アダプタ１１６，１１７を介して前記排水口１１４とホース挿入口１１５にそれぞれ接続され、下方に向かって開口する開口部１１８ｃには排水管１１９が接続されている。
【００１０】
又、Ｓ字トラップ１１８には、Ｕ字状を成す封水部１１８ｄと、該封水部１１８ｄをバイパスして前記ホース挿入口１１５を前記排水管１１９に接続するためのバイパス部１１８ｅが設けられている。そして、封水部１１８ｄの下部にはドレン孔１１８ｆが形成されており、このドレン孔１１８ｆにはドレンボルト１２０が螺着されている。尚、排水口１１４には目皿１２１が螺着されており、排水管１１９の高圧洗浄時以外においては、ホース挿入口１１５には不図示のキャップが被着されている。
【００１１】
而して、排水管１１９及びその先の配管部分を高圧洗浄する際には、ホース挿入口１１５に被着された不図示のキャップを取り外してホース挿入口１１５を開口せしめ、このホース挿入口１１５から洗浄ホース１２２をＳ字トラップ１１８内に挿入し、該洗浄ホース１２２を図示のようにＳ字トラップ１１８のバイパス部１１８ｅから排水管１１９へと導入し、その先端に取り付けられた噴射ノズル１２４から高圧水を噴出して排水管１１９及びその先の配管部分を洗浄する。
【特許文献１】特開２００３−０８８８２１号公報
【発明の開示】
【発明が解決しようとする課題】
【００１２】
ところが、図８に示すように、洗浄ホース１２２をＳ字トラップ１１８内を経て排水管１１９及びその先の配管部分に対して出し入れする際に、該洗浄ホース１２２がバイパス部１１８ｅの一部（図示のＡ部）に接触して擦れ、摩擦抵抗が大きくなるために洗浄作業をスムーズに能率良く行うことができないという問題があった。特に、ホース挿入口１１５やバイパス部１１８ｅの口径が小さかったり、バイパス部１１８ｅの曲がりが急である場合には、洗浄ホース１２２と接触する箇所が多くなり、接触による摩擦抵抗が大きくなって洗浄ホース１２２の出し入れが益々困難になってしまう。
【００１３】
本発明は上記問題に鑑みてなされたもので、その目的とする処は、洗浄ホースの出し入れを抵抗なくスムーズに行うことができ、該洗浄ホースによって排水管の高圧洗浄を作業性良く効率的に行うことができる高圧洗浄用保護部材及びこれを用いた排水管の高圧洗浄方法を提供することにある。
【課題を解決するための手段】
【００１４】
上記目的を達成するため、請求項１記載の発明は、排水口本体に開口する排水口及びホース挿入口に接続され、封水部と、該封水部をバイパスして前記ホース挿入口を排水管に接続するバイパス部を備えるＳ字トラップに接続された排水管の高圧洗浄に使用される部材であって、前記ホース挿入口に着脱可能に装着される高圧洗浄保護部材として、排水管の高圧洗浄に際して前記ホース挿入口から挿入された洗浄ホースをガイドして前記バイパス部を経て前記排水管に導入するガイド部を備えることを特徴とする。
【００１５】
請求項２記載の発明は、請求項１記載の高圧洗浄用保護部材を、前記Ｓ字トラップのバイパス部の形状に沿って変形可能であって、前記洗浄ホースを内部に挿通してこれをガイドするフレキシブル管で構成したことを特徴とする。
【００１６】
請求項３記載の発明は、請求項１記載の高圧洗浄用保護部材を、前記Ｓ字トラップのバイパス部に沿った形状に成形されたガイド部を有する剛性部材で構成したことを特徴とする。
【００１７】
請求項４記載の発明は、請求項１〜３の何れかに記載の高圧洗浄用保護部材に、前記ホース挿入口の口径よりも大きな外径を有する鍔を設けたことを特徴とする。
【００１８】
請求項５記載の発明は、排水口本体に開口する排水口及びホース挿入口に接続され、封水部と、該封水部をバイパスして前記ホース挿入口を排水管に接続するバイパス部を備えるＳ字トラップに接続された排水管を高圧洗浄する方法であって、前記ホース挿入口から洗浄ホースをＳ字トラップ内に挿入し、該洗浄ホースを前記バイパス部を経て前記排水管内に導入して該排水管を高圧洗浄する高圧洗浄方法において、請求項１〜４の何れかに記載の高圧洗浄用保護部材を前記ホース挿入口に装着し、該高圧洗浄用保護部材によって前記洗浄ホースをガイドして前記バイパス部を経て前記排水管に導入するようにしたことを特徴とする。
【発明の効果】
【００１９】
請求項１〜４の何れかに記載の高圧洗浄用保護部材を用いて実施される請求項５記載の高圧洗浄方法によれば、排水管及びその先の配管部分の高圧洗浄に際しては、高圧洗浄用保護部材をホース挿入口に装着し、ホース挿入口からＳ字トラップ内に挿入された洗浄ホースを前記高圧洗浄用保護部材によってガイドしてバイパス部を経て排水管に導入するようにしたため、洗浄ホースを出し入れする際に該洗浄ホースがバイパス部等に接触することがなく、該洗浄ホースの出し入れを抵抗なくスムーズに行うことができる。この結果、洗浄ホースの先端から噴射される高圧水によって排水管及びその先の配管部分を作業性良く効率的に高圧洗浄することができる。
【００２０】
又、高圧洗浄用保護部材に、ホース挿入口の口径よりも大きな外径を有する鍔を設けたため、該鍔がストッパとして機能し、洗浄作業中に高圧洗浄用保護部材がＳ字トラップ内に落ち込む等の不具合が発生することがない。
【発明を実施するための最良の形態】
【００２１】
以下に本発明の実施の形態を添付図面に基づいて説明する。
【００２２】
＜実施の形態１＞
図１はシステムキッチンの斜視図、図２は本発明の実施の形態１に係る高圧洗浄用保護部材とこれを用いた高圧洗浄方法を示すＳ字トラップ部分の側断面図である。
【００２３】
図１に示すシステムキッチンの矩形ボックス状の本体１の上面には、例えば人工大理石から成る天板２が設置されており、この天板２の向かって右半部には横方向に長いステンレス製の凹状のシンク３が埋め込まれ、左側部分にはガステーブル４が設置されている。
【００２４】
そして、本体１の前記シンク３とガステーブル４の下方には、収納空間としてのキャビネット５（図２参照）が形成されており、本体１の前面には、右側から開閉ドア６、引き出し７，８，９，１０，１１，１２が順次設けられている。
【００２５】
ところで、前記シンク３内の幅方向略中央の奥側には、円形状凹部を成す排水口本体１３が形成されており、この排水口本体１３の手前側（図２の右側）と奥側（図２の左側）には、大小異径の円形の排水口１４とホース挿入口１５がそれぞれ開口している。そして、これらの排水口１４とホース挿入口１５には、図２に示すように、アダプタ１６，１７を介してＳ字トラップ１８が接続されている。
【００２６】
ここで、上記Ｓ字トラップ１８は、図２に示すように正面視横Ｓ字状を成し、上方に向かって開口する２つの開口部１８ａ，１８ｂは、前記アダプタ１６，１７を介して前記排水口１４とホース挿入口１５にそれぞれ接続され、下方に向かって開口する開口部１８ｃには排水管１９が接続されている。
【００２７】
又、Ｓ字トラップ１８には、Ｕ字状を成す封水部１８ｄと、該封水部１８ｄをバイパスして前記ホース挿入口１５を前記排水管１９に接続するためのバイパス部１８ｅが奥側に向かって斜め下方に傾斜して設けられている。そして、封水部１８ｄの下部にはドレン孔１８ｆが形成されており、このドレン孔１８ｆにはドレンボルト２０が螺着されている。尚、排水口１４には目皿２１が螺着されており、排水管１９の高圧洗浄時以外においては、ホース挿入口１５には不図示のキャップが被着されている。
【００２８】
以上において、排水管１９及びその先の配管部分の洗浄作業を行わない通常の使用状態においては、ホース挿入口１５は不図示のキャップによって密閉されており、システムキッチンのシンク３において使用された水は、目皿２１から排水口１４へと流れ、Ｓ字トラップ１８を通って排水管１９へと流れる。このとき、Ｓ字トラップ１８の封水部１８ｄには水が溜っているため、排水管１９から立ち上がる臭気は封水部１８ｄに溜った水によって遮断され、臭気が排水口１４からシンク３側へと漏れ出ることがない。又、前述のようにホース挿入口１５には不図示のキャップが被着されているため、排水管１９からバイパス部１８ｅを通って立ち上がる臭気は不図示のキャップによって遮断され、臭気がホース挿入口１５からシンク３側へと漏れ出ることもない。
【００２９】
而して、排水管１９及びその先の配管部分を高圧洗浄する際には、ホース挿入口１５に被着された不図示のキャップを取り外してホース挿入口１５を開口せしめ、このホース挿入口１５から洗浄ホース２２をＳ字トラップ１８内に挿入するが、この洗浄ホース２２には本発明に係る高圧洗浄用保護部材としての保護管３０が予め通されている。
【００３０】
上記保護管３０は、ホース挿入口１５に対して着脱可能であって、金属、樹脂或はゴム製の短管で構成され、その内部には洗浄ホース２２が通され、該保護管３０の内部は洗浄ホース２２をガイドするためのガイド部を構成している。そして、この保護管３０の上部外周には、ホース挿入口１５の口径よりも大きな外径を有する鍔３０ａが全周に亘って一体に形成されており、この鍔３０ａに形成された溝には軟質材から成るＯリング等のパッキン２３が嵌着されている。
【００３１】
以上のように構成された保護管３０は、図２に示すように、ホース挿入口１５に装着され、その外周に形成された鍔３０ａがホース挿入口１５の周縁に当接することによって位置決めされ、その内部に挿通する洗浄ホース２２は該保護管３０によってガイドされて排水管１９へと導入される。尚、保護管３０の鍔３０ａには軟質なパッキン２３が嵌着されているため、保護管３０とホース挿入口１５との直接接触がパッキン２３によって避けられ、ホース挿入口１５の内周に形成されたネジ部の傷付きが防がれる。
【００３２】
而して、以上のようにしてホース挿入口１５から挿入された洗浄ホース２２が保護管３０によってガイドされて排水管１９に導入されると、排水管１９及びその先の配管部分は、洗浄ホース２２の先端に取り付けられた噴射ノズル２４から噴射される高圧水によって高圧洗浄される。この場合、保護管３０に形成された鍔３０ａがストッパとして機能するため、保護管３０がＳ字トラップ１８内へ落ち込み等の不具合が発生することがない。
【００３３】
そして、排水管１９及びその先の配管部分の高圧洗浄が終了すると、洗浄ホース２２が排水管１９とその先の配管部分及びＳ字トラップ１８から引き抜かれるが、このとき、保護管３０の鍔３０ａを手で押さえておけば、保護管３０がホース挿入口１５から洗浄ホース２２と一緒に抜けて外れるという不具合が発生することがない。
【００３４】
以上のように、本実施の形態に係る保護管３０を用いて実施される高圧洗浄方法によれば、ホース挿入口１５からＳ字トラップ１８内に挿入された洗浄ホース２２を保護管３０によってガイドしてバイパス部１８ｅを経て排水管１９に導入するようにしたため、洗浄ホース２２を出し入れする際に該洗浄ホース２２がバイパス部１８ｅ等に接触することがなく、該洗浄ホース２２の出し入れを抵抗なくスムーズに行うことができる。この結果、洗浄ホース２２の先端の噴射ノズル２４から噴射される高圧水によって排水管１９及びその先の配管部分を作業性良く効率的に高圧洗浄することができる。
【００３５】
＜実施の形態２＞
次に、本発明の実施の形態を図３〜図５に基づいて説明する。
【００３６】
図３は本発明の実施の形態２に係る高圧洗浄用保護部材の一部を破断して示す正面図、図４は同高圧洗浄用保護部材を用いた高圧洗浄方法を示すＳ字トラップ部分の側断面図であり、これらの図においては図１及び図２に示したものと同一要素には同一符号を付しており、以下、それらについての再度の説明は省略する。
【００３７】
本実施の形態では、高圧洗浄用保護部材として、コイルバネ状の撓曲自在な金属製のフレキシブル管３１を使用しており、このフレキシブル管３１の上端部には上方が開口する円筒状の鍔３１ａが取り付けられている。尚、鍔３１ａの外径は、ホース挿入口１５の口径よりも大きく設定されており、鍔３１ａは金属、樹脂又はゴム等で構成されている。
【００３８】
而して、図４に示す排水管１９及びその先の配管部分の洗浄は、上記フレキシブル管３１を用いて次のように実施される。
【００３９】
即ち、排水管１９及びその先の配管部分の高圧洗浄に際しては、ホース挿入口１５に被着された不図示のキャップを取り外してホース挿入口１５を開口せしめ、このホース挿入口１５から洗浄ホース２２をＳ字トラップ１８内に挿入するが、この洗浄ホース２２にはフレキシブル管３１が予め通されている。
【００４０】
そして、フレキシブル管３１は、図４に示すように、ホース挿入口１５に装着され、その上端に取り付けられた鍔３１ａがホース挿入口１５の周縁に当接することによって位置決めされ、Ｓ字トラップ１８内への落ち込みが鍔３１ａによって阻止される。ここで、フレキシブル管３１は、撓曲自在であるためにＳ字トラップ１８のバイパス部１８ｅの形状に沿って容易に変形して排水管１９の開口部まで延び、その内部に挿通する洗浄ホース２２は、該フレキシブル管３１によってガイドされて排水管１９及びその先の配管部分へと導入される。
【００４１】
以上のようにしてホース導入口１５から挿入された洗浄ホース２２がフレキシブル管３１によってガイドされて排水管１９及びその先の配管部分に導入されると、排水管１９及びその先の配管部分は、洗浄ホース２２の先端に取り付けられた噴射ノズル２４から噴射される高圧水によって高圧洗浄される。
【００４２】
そして、排水管１９及びその先の配管部分の高圧洗浄が終了すると、洗浄ホース２２が排水管１９とその先の配管部分及びＳ字トラップ１８から引き抜かれるが、このとき、フレキシブル管３１の鍔３１ａを手で押さえておけば、フレキシブル管３１がホース挿入口１５から洗浄ホース２２と一緒に抜けて外れるという不具合が発生することがない。
【００４３】
以上のように、本実施の形態に係るフレキシブル管３１を用いて実施される高圧洗浄方法においても、ホース挿入口１５からＳ字トラップ１８内に挿入された洗浄ホース２２をフレキシブル管３１によってガイドしてバイパス部１８ｅを経て排水管１９に導入するようにしたため、洗浄ホース２２を出し入れする際に該洗浄ホース２２がバイパス部１８ｅ等に接触することがなく、該洗浄ホース２２の出し入れを抵抗なくスムーズに行うことができ、排水管１９及びその先の配管部分を作業性良く効率的に高圧洗浄することができる。
【００４４】
尚、本実施の形態では、高圧洗浄用保護部材としてコイルバネ状のフレキシブル管３１を使用したが、図５に示すような一端に鍔３２ａが取り付けられた蛇腹状の金属チューブ３２の他、図示しないが例えば樹脂製のスパイラルチューブ、切り込み付チューブ、蛇腹チューブ、ゴムホース等、任意のものを使用することができる。
【００４５】
＜実施の形態３＞
次に、本発明の実施の形態３を図６及び図７に基づいて説明する。
【００４６】
図６は本発明の実施の形態３に係る高圧洗浄用保護部材の斜視図、図７は同高圧洗浄用保護部材を用いた高圧洗浄方法を示すＳ字トラップ部分の側断面図であり、これらの図においても図１及び図２に示したものと同一要素には同一符号を付しており、以下、それらについての再度の説明は省略する。
【００４７】
本実施の形態では、高圧洗浄用保護部材として、Ｓ字トラップ１８のバイパス部１８ｅに沿った形状に成形されたガイド部３３ｂの上端にパイプ状の鍔３３ａを一体に形成して成る剛性部材３３を用いる。この剛性部材３３は、金属、硬質プラスチック等で一体に形成されて変形不能であり、その上端に形成された鍔３３ａの外径はホース挿入口１５の口径よりも大きく設定されている。
【００４８】
而して、図７に示す排水管１９の洗浄は、上記剛性部材３３を用いて次のように実施される。
【００４９】
即ち、排水管１９及びその先の配管部分の高圧洗浄に際しては、ホース挿入口１５に被着された不図示のキャップを取り外してホース挿入口１５を開口せしめ、先ず、図７に示すように、剛性部材３３をホース挿入口１５に装着するが、この剛性部材３３は、その上端に取り付けられた鍔３３ａがホース挿入口１５の周縁に当接することによって位置決めされ、Ｓ字トラップ１８内への落ち込みが鍔３３ａによって阻止される。又、剛性部材３３のガイド部３３ｂは、Ｓ字トラップ１８のバイパス部１８ｅの一部（洗浄ホース２２の出し入れの際に該洗浄ホース２２が接触し易い部分）に沿って配置され、該部分を覆ってこれをガードしている。
【００５０】
上述のように剛性部材３３がホース挿入口１５に装着されると、ホース挿入口１５から洗浄ホース２２をＳ字トラップ１８内に挿入するが、この洗浄ホース２２は、剛性部材３３のガイド部３３ｂに沿ってガイドされ、排水管１９へと導入される。
【００５１】
以上のようにしてホース導入口１５から挿入された洗浄ホース２２が剛性部材３３によってガイドされて排水管１９及びその先の配管部分に導入されると、排水管１９及びその先の配管部分は、洗浄ホース２２の先端に取り付けられた噴射ノズル２４から噴射される高圧水によって高圧洗浄される。
【００５２】
そして、排水管１９及びその先の配管部分の高圧洗浄が終了すると、洗浄ホース２２が排水管１９とその先の配管部分及びＳ字トラップ１８から引き抜かれるが、このとき、剛性部材３３の鍔３３ａを手で押さえておけば、剛性部材３３がホース挿入口１５から洗浄ホース２２と一緒に抜けて外れるという不具合が発生することがない。
【００５３】
以上のように、本実施の形態に係る剛性部材３３を用いて実施される高圧洗浄方法においても、ホース挿入口１５からＳ字トラップ１８内に挿入された洗浄ホース２２を剛性部材３３のガイド部３３ｂに沿ってガイドしてバイパス部１８ｅを経て排水管１９に導入するようにしたため、洗浄ホース２２を出し入れする際に該洗浄ホース２２がバイパス部１８ｅ等に接触することがなく、該洗浄ホース２２の出し入れを抵抗なくスムーズに行うことができ、排水管１９及びその先の配管部分を作業性良く効率的に高圧洗浄することができる。
【産業上の利用可能性】
【００５４】
本発明は、キッチンのシンク等の排水口本体の他、任意の排水口本体に開口するホース挿入口から洗浄ホースを挿入して実施される排水管及びその先の配管部分の高圧洗浄に対して適用可能である。
【図面の簡単な説明】
【００５５】
【図１】システムキッチンの斜視図である。
【図２】本発明の実施の形態１に係る高圧洗浄用保護部材とこれを用いた高圧洗浄方法を示すＳ字トラップ部分の側断面図である。
【図３】本発明の実施の形態２に係る高圧洗浄用保護部材の一部を破断して示す正面図である。
【図４】本発明の実施の形態２に係る高圧洗浄用保護部材を用いた高圧洗浄方法を示すＳ字トラップ部分の側断面図である。
【図５】本発明の実施の形態２に係る高圧洗浄用保護部材の別形態を示す一部破断正面図である。
【図６】本発明の実施の形態３に係る高圧洗浄用保護部材の斜視図である。
【図７】本発明の実施の形態２に係る高圧洗浄用保護部材を用いた高圧洗浄方法を示すＳ字トラップ部分の側断面図である。
【図８】従来の高圧洗浄方法を示すＳ字トラップ部分の側断面図である。
【符号の説明】
【００５６】
３              シンク
５              キャビネット
１３            排水口本体
１４            排水口
１５            ホース挿入口
１６，１７      アダプタ
１８            Ｓ字トラップ
１８ａ〜１８ｃ  開口部
１８ｄ          封水部
１８ｅ          バイパス部
１８ｆ          ドレン孔
１９            排水管
２０            トレンボルト
２１            目皿
２２            洗浄ホース
２３            パッキン
２４            噴射ノズル
３０            保護管（高圧洗浄用保護部材）
３０ａ          鍔
３１            フレキシブル管（高圧洗浄用保護部材）
３１ａ          鍔
３２            金属チューブ（高圧洗浄用保護部材）
３２ａ          鍔
３３            剛性部材（高圧洗浄用保護部材）
３３ａ          鍔
３３ｂ          ガイド部
【図１】
2006348683.tif 000003
【図２】
2006348683.tif 000004
【図３】
2006348683.tif 000005
【図４】
2006348683.tif 000006
【図５】
2006348683.tif 000007
【図６】
2006348683.tif 000008
【図７】
2006348683.tif 000009
【図８】
2006348683.tif 000010